(57)【要約】【課題】車両の搭乗者の利便性を向上することができるＡＶ（audio visual）システム、音声制御装置、音声映像制御装置および音声制御方法を提供すること。【解決手段】ワイドディスプレイ２００は、異なるコンテンツソースからの映像を同時に分割画面２１０，２２０に表示する。ヘッドフォン出力端子２４０，２５０に接続されたヘッドフォンおよびスピーカ７２０は、異なるコンテンツソースからの音声を同時に出力する。指示処理部４３０は、出力音声を制御する。例えばリモコン３１０，３２０、ＥＳＷ（エスカッションスイッチ）３４０および操作処理部４２０の組合せからなる操作部は、操作信号入力源を識別可能な操作信号を生成し、この操作信号に応じて指示処理部４３０に出力音声を個別制御させる。【選択図】図１
2007295045.tif 000002
【特許請求の範囲】
【請求項１】
異なるコンテンツソースからの映像を同時に複数の分割画面に表示する表示部と、
前記異なるコンテンツソースからの音声を同時に出力する複数の音声出力部と、
前記複数の音声出力部により出力される音声を制御する制御部と、
操作信号入力源に対応する操作信号を生成し、前記操作信号により、前記制御部に、前記複数の音声出力部のうち前記操作信号入力源に対応する音声出力部の出力音声を他の音声出力部から独立に制御させる操作部と、
を具備するＡＶシステム。
【請求項２】
複数の音声出力部から同時に出力される音声を制御する音声制御装置であって、
異なる操作信号入力源からの操作信号を識別する識別手段と、
前記複数の音声出力部の中の異なる音声出力部の出力音声を、識別された操作信号に応じて個別に制御する制御手段と、
を具備する音声制御装置。
【請求項３】
表示部の複数の分割画面に同時に表示される映像および複数の音声出力部から同時に出力される音声を制御する音声映像制御装置であって、
異なる操作信号入力源に対応する操作信号を識別する識別手段と、
前記複数の音声出力部の中の異なる音声出力部の出力音声を、識別された操作信号に応じて個別に制御するとともに、連動制御および非連動制御を切替可能に実行する制御手段と、を具備し、
前記制御手段は、
前記連動制御では、識別された操作信号に応じて、いずれかの音声出力部の出力音声をいずれかの分割画面の表示映像と連動して切り替えさせる制御を行い、
前記非連動制御では、識別された操作信号に応じて、いずれかの音声出力部の出力音声をいずれの分割画面の表示映像とも連動せずに切り替えさせる制御を行う、
音声映像制御装置。
【請求項４】
複数の音声出力部から同時に出力される音声を制御する音声制御方法であって、
異なる操作信号入力源からの操作信号を識別する識別ステップと、
前記複数の音声出力部の中の異なる音声出力部の出力音声を、識別された操作信号に応じて個別に制御する制御ステップと、
を具備する音声制御方法。
【請求項５】
音声出力装置と、
操作装置と、
前記操作装置からの操作信号が入力されると、前記音声出力装置のうち前記操作装置に対応付けられたものを前記操作信号に従って制御する制御装置とを備えるＡＶシステム。
【請求項６】
前記制御装置は、前記音声出力装置のうち前記操作装置およびこの操作装置を操作する操作者の位置に対応付けられたものを前記操作信号に従って制御することを特徴とする請求項５に記載のＡＶシステム。
【請求項７】
前記制御装置は、着座センサまたは近接センサに接続され、これらのセンサで出力された値を用いて前記操作者の位置を求めることを特徴とする請求項６に記載のＡＶシステム。
【請求項８】
表示装置に対してその１画面を分割してなる分割画面でそれぞれ映像を表示させる映像処理装置を備え、
前記制御装置は、前記操作信号および前記映像処理装置での映像処理状態を用いて、前記音声出力装置に対して出力させる音声を前記分割画面で表示される映像に係る音声にするか否かを切り替えることを特徴とする請求項５ないし請求項７のいずれかに記載のＡＶシステム。
【請求項９】
ユーザ操作に応じて音声出力を制御する制御装置であって、
操作装置からの操作信号が入力されると、記憶部で前記操作装置に対応付けられた音声出力装置を前記操作信号に従って制御する制御部を備える制御装置。
【請求項１０】
前記制御部は、前記音声出力装置のうち前記操作装置およびこの操作装置を操作する操作者の位置に対応付けられたものを前記操作信号に従って制御することを特徴とする請求項９に記載の制御装置。
【請求項１１】
前記制御部は、着座センサまたは近接センサに接続され、これらのセンサで出力された値を用いて前記操作者の位置を求めることを特徴とする請求項１０に記載の制御装置。
【発明の詳細な説明】
【技術分野】
【０００１】
本発明は、ＡＶ（audio visual）システム、音声制御装置、音声映像制御装置および音声制御方法に関する。
【背景技術】
【０００２】
背景技術として、車載ディスプレイを利用して搭乗者がテレビやビデオ、ＤＶＤなどを視聴できるよう構成されたシステムがある。また、横長のディスプレイに対して横方向に合成されたカメラ画像を表示させるシステムが知られている（例えば、特許文献１を参照）。
【特許文献１】特開２００１−１１４０４８号公報
【発明の開示】
【発明が解決しようとする課題】
【０００３】
近年、各搭乗者が自らの好みに合ったコンテンツを視聴可能なシステムが望まれている。背景技術によれば、横長のディスプレイに対して横方向に合成されたテレビ番組や映画などを表示させることによって、各搭乗者に対してそれぞれ異なるコンテンツを視聴させることが可能になる。もっとも、横長のディスプレイに対して横方向に合成されたテレビ番組や映画などを表示させるだけでは、各搭乗者は、自らの好みに合ったコンテンツを視聴することができない。つまり、搭乗者全員にとっての利便性という点で、背景技術を組み合わせただけでは一定の限界がある。
【０００４】
本発明は、かかる点に鑑みてなされたものであり、搭乗者にとっての利便性を向上することができるＡＶシステム、音声制御装置、音声映像制御装置および音声制御方法を提供することを目的とする。
【課題を解決するための手段】
【０００５】
本発明のＡＶシステムは、異なるコンテンツソースからの映像を同時に複数の分割画面に表示する表示部と、前記異なるコンテンツソースからの音声を同時に出力する複数の音声出力部と、前記複数の音声出力部により出力される音声を制御する制御部と、操作信号入力源に対応する操作信号を生成し、前記操作信号により、前記制御部に、前記複数の音声出力部のうち前記操作信号入力源に対応する音声出力部の出力音声を他の音声出力部から独立に制御させる操作部と、を具備する構成を採る。
【０００６】
本発明の音声制御装置は、複数の音声出力部から同時に出力される音声を制御する音声制御装置であって、異なる操作信号入力源からの操作信号を識別する識別手段と、前記複数の音声出力部の中の異なる音声出力部の出力音声を、識別された操作信号に応じて個別に制御する制御手段と、を具備する構成を採る。
【０００７】
本発明の音声映像制御装置は、表示部の複数の分割画面に同時に表示される映像および複数の音声出力部から同時に出力される音声を制御する音声映像制御装置であって、異なる操作信号入力源に対応する操作信号を識別する識別手段と、前記複数の音声出力部の中の異なる音声出力部の出力音声を、識別された操作信号に応じて個別に制御するとともに、連動制御および非連動制御を切替可能に実行する制御手段と、を具備し、前記制御手段は、前記連動制御では、識別された操作信号に応じて、いずれかの音声出力部の出力音声をいずれかの分割画面の表示映像と連動して切り替えさせる制御を行い、前記非連動制御では、識別された操作信号に応じて、いずれかの音声出力部の出力音声をいずれの分割画面の表示映像とも連動せずに切り替えさせる制御を行う、構成を採る。
【０００８】
本発明の音声制御方法は、複数の音声出力部から同時に出力される音声を制御する音声制御方法であって、異なる操作信号入力源からの操作信号を識別する識別ステップと、前記複数の音声出力部の中の異なる音声出力部の出力音声を、識別された操作信号に応じて個別に制御する制御ステップと、を具備するようにした。
【０００９】
本発明のＡＶシステムは、音声出力装置と、操作装置と、前記操作装置からの操作信号が入力されると、前記音声出力装置のうち前記操作装置に対応付けられたものを前記操作信号に従って制御する制御装置とを備える構成を採る。
【００１０】
本発明の制御装置は、ユーザ操作に応じて音声出力を制御する制御装置であって、操作装置からの操作信号が入力されると、記憶部で前記操作装置に対応付けられた音声出力装置を前記操作信号に従って制御する制御部を備える構成を採る。
【発明の効果】
【００１１】
本発明によれば、車両搭乗者にとっての利便性を向上することができる。
【発明を実施するための最良の形態】
【００１２】
以下、本発明の実施の形態について、図面を参照して詳細に説明する。
【００１３】
図１は、本発明の一実施の形態に係るＡＶ（audio visual）システム１００の構成を示すブロック図である。このＡＶシステム１００は、プログラムを記録する記録媒体（図示せず）、このプログラムを実行させるＣＰＵ（Central Processing Unit）（図示せず）、このプログラムを無線通信により受信する通信系統（図示せず）などとともに、車両に搭載することができる。
【００１４】
図１において、ＡＶシステム１００は、ワイドディスプレイ２００、リモコン（「操作装置」に相当する）３１０，３２０、受光部３３０、ＥＳＷ（エスカッションスイッチ）（「操作装置」に相当する）３４０、制御装置４００、コンテンツ入力ソース５００、ソースセレクタ５１０，５２０、映像処理装置６００、音声合成部７１０、およびスピーカ（「音声出力装置」に相当する）７２０を備える。操作者の位置を求めるための値を出力する図示しない着座センサまたは近接センサが設けられてもよい。
【００１５】
表示装置としてのワイドディスプレイ２００は、映像を表示する画面２３０を有する。画面２３０は、ある画面モードでは、映像処理装置６００から入力される映像信号を、画面２３０の全領域または部分領域に、１画面表示の形態で表示し、他の画面モードでは、映像処理装置６００からの映像信号を、画面２３０に、２画面表示の形態で表示する。２画面表示の場合、画面２３０の全領域を例えば境界部（図中の破線）を基準として左右に２分割してなる分割画面２１０および分割画面２２０に、それぞれ映像が表示される。したがって、画面２３０は、２つの映像ソースからそれぞれ得られる２つの映像を横に並べて表示するのに適した横長の形状を有する。
【００１６】
なお、全実施の形態の説明全体を通して用いられる「映像」なる語は、フレームを基本単位として生成、伝送または処理される信号（映像信号）の、画面２３０上での視覚的表現の総称を意味するものである。また、本実施の形態では、画面２３０を左右に２分割して２つの分割画面２１０，２２０を形成している、つまり分割画面表示の一例として２画面表示が用いられているが、分割画面の個数およびその形態は、前述のものだけに限定されない。
【００１７】
また、ワイドディスプレイ２００は、音声出力デバイスとしてのヘッドフォン出力端子２４０，２５０を備える。ヘッドフォン出力端子２４０，２５０（「音声出力装置」に相当する）は、ヘッドフォン（図示せず）に接続可能であり、音声合成部７１０から入力される音声信号をヘッドフォン側に出力する。この音声信号は、ヘッドフォンから音声として出力される。なお、ヘッドフォン出力端子２４０，２５０を、図示されているようにワイドディスプレイ２００の本体に設ける代わりに、ＡＶシステム１００内の他の適切な個所に設けてもよい。
【００１８】
また、ワイドディスプレイ２００は、後で詳しく述べる制御装置４００または映像処理装置６００の全体または一部と一体化して表示装置または表示システムを構成することができる。
【００１９】
リモコン３１０，３２０は、搭乗者の手動操作が可能となるよう構成され、手動操作に応じて操作コマンドを生成し、生成した操作コマンドを、無線信号、例えば赤外線信号に変換して無線送信する。操作コマンドは、画面２３０に表示される映像の制御に用いられるもの、およびヘッドフォン出力端子２４０，２５０に接続されたヘッドフォンまたはスピーカ７２０から出力される音声の制御に用いられるものを含む。例えば、制御対象の映像の選択、制御対象の音声の選択、ソース（ＣＤ／ＤＶＤデッキ、テレビ（ＴＶ）チューナ、外部入力など）の選択、およびＴＶチャンネルの選択がある。また、操作コマンドは、さらに、ＥＳＷ３４０およびリモコン３１０，３２０の操作に関する情報の設定（例えば、操作権の設定など）に用いられるものを含む。なお、本実施の形態では、２つのリモコン３１０，３２０が使用されるが、リモコンの個数およびリモコンの車室内での設置態様については、特に限定されない。
【００２０】
リモコン３１０，３２０から出力される操作コマンドによれば、分割画面２１０に表示される映像、分割画面２２０に表示される映像、ヘッドフォン出力端子２４０に接続されたヘッドフォンから出力される音声、ヘッドフォン出力端子２５０に接続されたヘッドフォンから出力される音声、およびスピーカ７２０から出力される音声をそれぞれ個別に制御することができる。また、この個別制御は、異なる操作コマンド入力源から得られる操作コマンドに従って実行することができる。操作コマンド入力源は、ＥＳＷ３４０自体およびリモコン３１０，３２０自体として定義することもでき、リモコン３１０，３２０操作時のリモコン３１０，３２０の空間的位置、あるいはＥＳＷ３４０またはリモコン３１０，３２０を操作する搭乗者の空間的位置として定義することもできる。
【００２１】
受光部３３０は、リモコン３１０，３２０から送信された赤外線信号を受信し、制御装置４００で処理可能な電気信号に変換して、制御装置４００の操作処理部４２０に出力する。
【００２２】
ＥＳＷ３４０は、例えばワイドディスプレイ２００の枠部などの、車室内の適切な個所に設けられる。ＥＳＷ３４０は、搭乗者の手動操作が可能となるよう構成され、手動操作により生成される操作コマンドを電気信号として生成して制御装置４００の操作処理部４２０に出力する。ＥＳＷ３４０により生成可能な操作コマンドは、リモコン３１０，３２０により生成可能な操作コマンドと同様である。
【００２３】
映像制御装置または音声制御装置としての制御装置４００は、メモリ４１０、操作処理部４２０、および指示処理部４３０を備える。
【００２４】
メモリ４１０は、操作権の設定状況および操作コマンドの定義を示す各種のテーブルを保持する。メモリ４１０が保持する各種のテーブルの設定情報は、リモコン３１０，３２０およびＥＳＷ３４０からの操作コマンド、または搭乗者の着座の検知により随時更新されうる。メモリ４１０が保持するテーブルについては、後に詳細に説明する。
【００２５】
操作処理部４２０は、受光部３３０またはＥＳＷ３４０から操作コマンドを受信する。受信した操作コマンドが、表示される映像または出力される音声の制御に用いられるものである場合、操作処理部４２０は、この操作コマンドを指示処理部４３０に出力する。受信した操作コマンドが、ＥＳＷ３４０およびリモコン３１０，３２０の操作に関する情報の設定に用いられるものである場合、操作処理部４２０は、メモリ４１０が保持する各種のテーブルの設定情報の読み取りまたは書き込みを行う。操作処理部４２０は、操作コマンドを受信したとき、必要に応じて、引き続き行われうる手動操作のためのメッセージを映像として表示または音声として出力させるように、指示処理部４３０と共働することができる。
【００２６】
なお、操作処理部４２０、リモコン３１０，３２０、ＥＳＷ３４０または受光部３３０もしくはこれらの組合せにより、ＡＶシステム１００の操作部が構成される。
【００２７】
識別手段または制御手段としての指示処理部４３０は、操作処理部４２０からの操作コマンドを受信および解析する。より具体的には、指示処理部４３０は、操作コマンドの入力源、つまり、ＥＳＷ３４０、リモコン３１０，３２０、もしくはＥＳＷ３４０またはリモコン３１０，３２０を操作した搭乗者の空間的位置の識別を行う。さらに、操作コマンドに示された制御内容の識別およびその有効性の判定を行う。さらに、この制御内容に関連する設定情報の参照および更新を行う。そして、指示処理部４３０は、その解析結果に基づいて指示信号を生成し、生成した指示信号を、ソースセレクタ５１０，５２０の映像ＳＷ（スイッチ）５１１，５２１および音声ＳＷ５１２，５２２、映像処理装置６００の映像処理部６１０，６２０，６４０および映像合成部６３０、ならびに音声合成部７１０の少なくともいずれかに出力し、これにより、音声または映像の制御を実現する。例えば、指示処理部４３０は、分割画面２１０に表示される映像のソースを切り替える場合、ソースセレクタ５１０に対して指示信号を出力する。指示処理部４３０の機能および動作については、後で詳しく述べる。
【００２８】
コンテンツ入力ソース５００は、ＣＤ／ＤＶＤデッキやテレビ（ＴＶ）チューナ、外部入力などの、コンテンツのソースの集合を示すものである。各ソースからの映像信号は、映像ＳＷ５１１，５２１に出力され、各ソースからの音声信号は、音声ＳＷ５１２，５２２に出力される。本実施の形態では、ソースとして、ＣＤ／ＤＶＤデッキ、テレビ（ＴＶ）チューナ、および外部入力を例示しているが、コンテンツ入力ソース５００には、ＨＤＤ（Hard Disk Drive）やＡＭ／ＦＭチューナなどが含まれていてもよい。
【００２９】
ソースセレクタ５１０は、映像ＳＷ５１１および音声ＳＷ５１２を有する。映像ＳＷ５１１は、コンテンツ入力ソース５００から入力される映像信号を、指示処理部４３０から入力される指示信号に従って選択的に、映像処理装置６００の映像処理部６１０に出力する。音声ＳＷ５１２は、コンテンツ入力ソース５００から入力される音声信号を、指示処理部４３０から入力される指示信号に従って選択的に、音声合成部７１０に出力する。
【００３０】
ソースセレクタ５２０は、映像ＳＷ５２１および音声ＳＷ５２２を有する。映像ＳＷ５２１は、コンテンツ入力ソース５００から入力される映像信号を、指示処理部４３０から入力される指示信号に従って選択的に、映像処理装置６００の映像処理部６２０に出力する。音声ＳＷ５２２は、コンテンツ入力ソース５００から入力される音声信号を、指示処理部４３０から入力される指示信号に従って選択的に、音声合成部７１０に出力する。
【００３１】
ここで、ソースセレクタ５１０は、２画面表示時のデフォルト設定においては、分割画面２１０、ヘッドフォン出力端子２４０および映像処理部６１０とともに１つのＡＶサブシステムを構成する。このＡＶサブシステムは、映像ＳＷ５１１から出力される映像信号が、映像処理装置６００を経由して分割画面２１０上で映像として表示され、音声ＳＷ５１２から出力される音声信号が、音声合成部７１０を経由してヘッドフォン出力端子２４０に接続されるヘッドフォンから音声として出力される。ただし、デフォルト設定が変更された場合はこの限りではない。
【００３２】
また、ソースセレクタ５２０は、２画面表示時のデフォルト設定においては、分割画面２２０、ヘッドフォン出力端子２５０および映像処理部６２０とともに１つのＡＶサブシステムを構成する。このＡＶサブシステムは、映像ＳＷ５２１から出力される映像信号が、映像処理装置６００を経由して分割画面２２０上で映像として表示され、音声ＳＷ５２２から出力される音声信号が、音声合成部７１０を経由してヘッドフォン出力端子２５０に接続されるヘッドフォンから音声として出力される。ただし、デフォルト設定が変更された場合はこの限りではない。
【００３３】
映像処理装置６００は、映像処理部６１０，６２０，６４０、および映像合成部６３０を備える。
【００３４】
映像処理部６１０は、映像ＳＷ５１１からの映像信号に所定の映像処理を行って映像合成部６３０に出力する。また、映像処理部６２０は、映像ＳＷ５２１からの映像に所定の映像処理を行って映像合成部６３０に出力する。映像処理部６１０，６２０の映像処理には、例えば、輝度、解像度、明度、彩度および色相の調整が含まれる。このように、映像処理部６１０，６２０は、異なるソースセレクタ５１０，５２０（映像ＳＷ５１１，５２１）から入力される映像信号に対して、異なる映像処理を行うことができる。映像処理部６１０および映像処理部６２０における映像処理は、指示処理部４３０から入力される指示信号により制御することができる。
【００３５】
映像処理部６１０は、映像処理部６１０の映像信号から得られいずれかの分割画面上に表示される映像の表示態様を、映像処理部６２０の映像信号から得られる映像の表示態様と相違させる画質調整を行う。映像処理部６２０は、映像処理部６２０の映像信号から得られいずれかの分割画面上に表示される映像の表示態様を、映像処理部６１０の映像信号から得られる映像の表示態様と相違させる画質調整を行う。この画質調整は、指示処理部４３０からの指示信号に従って制御される。この画質調整により、搭乗者、特にリモコン３１０，３２０またはＥＳＷ３４０を操作している搭乗者が、２つの分割画面２１０，２２０のうち制御対象となっている分割画面を容易に識別することができるようになる。
【００３６】
映像合成部６３０は、映像処理部６１０からの映像信号と、映像処理部６２０からの映像信号とを、合成する。この合成は、指示処理部４３０から入力される指示信号により要求されているときに実行される。なお、合成された映像信号は、画面２３０上で２画面表示の形態（つまり、いずれかの映像信号がいずれかの分割画面に表示される形態）で表示されることとなる。また、これらの映像信号をどのように合成するかについても、指示信号により制御することができる。合成が要求されていないときは、映像合成部６３０は、指示信号に従って、映像処理部６１０または映像処理部６２０からの映像信号を、映像処理部６４０に出力する。
【００３７】
また、映像合成部６３０は、映像処理部６１０から入力される映像信号と映像処理部６２０から入力される映像信号とが、２画面表示の形態で画面２３０に表示されているときに、これらの映像信号（換言すれば、それぞれの映像信号を含むコンテンツ）が同一となる場合、いずれかの映像処理部からの映像信号のみを映像処理部６４０に出力することにより、画面２３０上の映像表示形態を２画面表示から１画面表示に切り替えさせる。なお、同一映像の２画面表示の検出は、映像処理装置６００内で行われてもよいし、映像処理装置６００外で行われる検出の結果が、指示処理部４３０から入力される指示信号により映像合成部６３０に通知されてもよい。
【００３８】
さらに、映像合成部６３０は、合成が要求されていないときに、映像処理部６４０に出力すべき映像信号が３−２プルダウンを施されたものか否かを検出する。出力すべき映像信号が３−２プルダウンであることが検出された場合、指示信号に従って、映像の表示形態がワイド１画面フル表示となるように映像信号を変換してから映像処理部６４０に出力する。
【００３９】
映像処理部６４０は、映像合成部６３０からの映像信号に所定の映像処理を行って、処理後の映像信号を出力して、この映像信号を画面２３０に１画面表示または２画面表示の形態で表示させる。この映像処理は、指示処理部４３０から入力される指示信号により制御することができる。映像処理部６４０の映像処理には、例えば、画面２３０に表示される映像に対して黒画を挿入する画面修飾などが含まれる。黒画挿入は、処理対象の映像信号にゼロ信号を挿入することにより実現することができる。黒画の挿入位置としては、例えば、分割画面２１０と分割画面２２０との境界部が挙げられる。この場合、分割画面２１０に表示された映像と分割画面２２０に表示された映像とを明確に識別することが可能になる。他の例としては、画面２３０または各分割画面２１０，２２０の輪郭部が挙げられる。境界部および輪郭部に挿入する黒画の幅は、調整可能であり、黒画幅調整により、様々な解像度およびサイズの映像を画面２３０に表示することができる。
【００４０】
映像処理部６４０が設けられなくても、映像処理部６１０、６２０が指示処理部４３０から入力される指示信号に従って画質調整を行いうる。他方、映像処理部６１０、６２０が設けられなくても、映像処理部６４０が指示処理部４３０から入力される指示信号に従って画質調整を行いうる。
【００４１】
音声合成部７１０は、音声ＳＷ５１２，５２２から入力される音声信号を、ヘッドフォン出力端子２４０，２５０およびスピーカ７２０に出力する。音声合成部７１０からヘッドフォン出力端子２４０に出力される音声信号は、音声ＳＷ５１２からの音声信号、音声ＳＷ５２２からの音声信号、およびこれらの音声信号の合成により得られる音声信号のいずれかである。音声合成部７１０からヘッドフォン出力端子２５０に出力される音声信号は、音声ＳＷ５１２からの音声信号、音声ＳＷ５２２からの音声信号、およびこれらの音声信号の合成により得られる音声信号のいずれかである。音声合成部７１０からスピーカ７２０に出力される音声信号は、音声ＳＷ５１２からの音声信号、音声ＳＷ５２２からの音声信号、およびこれらの音声信号の合成により得られる音声信号のいずれかである。音声合成部７１０からどの音声出力デバイスにどの音声信号を出力すべきかについては、指示処理部４３０から入力される指示信号により制御される。また、指示信号により音声信号の合成が要求される場合、その合成割合は、指示信号に示される。
【００４２】
音声出力デバイスとしてのスピーカ７２０は、音声合成部７１０から入力される音声信号を音声として出力する。スピーカ７２０は、車室内の任意の適切な個所に設置することができる。
【００４３】
次いで、制御装置４００内のメモリ４１０に保持される各種のテーブルの設定情報について説明する。ここでは、操作権に関する設定情報ならびに選択映像および選択音声に関する設定情報を例にとり、それぞれ図２および図３を用いて説明する。
【００４４】
図２に示す操作権設定情報において、「分割画面Ａ／ヘッドフォンＡ操作権者」は、分割画面Ａに対する操作を行う権利およびヘッドフォンＡに対する操作を行う権利の双方を付与された搭乗者を意味し、「分割画面Ｂ／ヘッドフォンＢ操作権者」は、分割画面Ｂに対する操作を行う権利およびヘッドフォンＢに対する操作を行う権利の双方を付与された搭乗者を意味し、「スピーカ操作権者」は、スピーカ、例えば、スピーカ７２０から出力される音声に対する操作を行う権利を付与された搭乗者を意味する。なお、分割画面Ａは、例えば分割画面２１０であり、分割画面Ｂは、例えば分割画面２２０であり、ヘッドフォンＡは、例えばヘッドフォン出力端子２４０に接続されるヘッドフォンであり、ヘッドフォンＢは、例えばヘッドフォン出力端子２５０に接続されるヘッドフォンであり、スピーカは、例えばスピーカ７２０である。
【００４５】
分割画面Ａ／ヘッドフォンＡの操作権は、操作人１（例えば、左側後部座席に座ってリモコンを操作する搭乗者）、操作人２（例えば、右側後部座席に座ってリモコンを操作する搭乗者）または前席（例えば、運転席または助手席に座ってリモコンまたはＥＳＷを操作する搭乗者）に排他的に付与される。この設定は随時変更可能であり、分割画面Ａ／ヘッドフォンＡの操作権は、操作人１、操作人２および前席のうち複数のものに付与することもでき、全てのものに付与することもできる。
【００４６】
分割画面Ｂ／ヘッドフォンＢの操作権は、操作人１、操作人２または前席に排他的に付与される。この設定は随時変更可能であり、分割画面Ｂ／ヘッドフォンＢの操作権は、操作人１、操作人２および前席のうち複数のものに付与することもでき、全てのものに付与することもできる。
【００４７】
スピーカの操作権は、操作人１、操作人２または前席に排他的に付与される。この設定は随時変更可能であり、スピーカの操作権は、操作人１、操作人２および前席のうち複数のものに付与することもでき、全てのものに付与することもできる。
【００４８】
なお、本実施の形態では、本発明のより深い理解のために、「操作人１」はリモコン３１０を操作する搭乗者と仮定し、「操作人２」はリモコン３２０を操作する搭乗者と仮定し、「前席」はＥＳＷ３４０を操作する搭乗者と仮定する。よって、本実施の形態では、分割画面Ａ，Ｂ、ヘッドフォンＡ，Ｂおよびスピーカの各操作権は、リモコン３１０，３２０およびＥＳＷ３４０のいずれかに付与されるものとする。操作権を付与されたリモコン３１０，３２０またはＥＳＷ３４０が、設定値としてテーブルに記録される。例えば、Ａの操作権は操作人１に付与され、Ｂの操作権は操作人２に付与される。
【００４９】
そして、分割画面Ａの表示映像、分割画面Ｂの表示映像、ヘッドフォンＡの出力音声、ヘッドフォンＢの出力音声またはスピーカの出力音声の制御においては、複数のコマンド入力源（例えば、リモコン３１０，３２０およびＥＳＷ３４０）のうちそれぞれの操作権を付与されたものから得られた操作コマンドのみが、指示処理部４３０において有効と判定され、操作権を付与されていないものから得られた操作コマンドは、指示処理部４３０において無効と判定される。
【００５０】
また、図３に示す選択映像および選択音声の設定情報において、「分割画面Ａ選択映像」は、分割画面Ａに表示される映像のソースを意味する。「分割画面Ｂ選択映像」は、分割画面Ｂに表示される映像のソースを意味する。「スピーカ選択音声」は、スピーカから出力される音声のソースを意味する。「ヘッドフォンＡ選択音声」は、ヘッドフォンＡから出力される音声のソースを意味する。「ヘッドフォンＢ選択音声」は、ヘッドフォンＢから出力される音声のソースを意味する。
【００５１】
本実施の形態では、映像または音声のソースは、ＣＤ／ＤＶＤデッキ、ＴＶチューナ１（ＴＶ１）、ＴＶチューナ２（ＴＶ２）および外部入力から選択することができる。選択されたソースが、設定値としてテーブルに記録される。なお、当然ながら、設定値としてテーブルに記録可能なソース、および入力値として操作コマンドに表示可能なソースは、コンテンツ入力ソース５００に含まれるソースに応じて変更することができる。
【００５２】
なお、前述した各種のテーブルおよびその設定情報は、一例であり、種々変更して実施することができる。
【００５３】
次いで、上記構成を有するＡＶシステム１００内の動作について説明する。
【００５４】
図４は、音声出力デバイスのいずれかの出力音声を切り替えさせる制御を行う場合の指示処理部４３０の動作の一例を説明するフロー図である。ここでは、ＣＤ／ＤＶＤデッキから出力される音楽をヘッドフォン出力端子２４０に接続されたヘッドフォン（ヘッドフォンＡ）で聴いている搭乗者が、ＴＶ番組の音声を聴くためにリモコン３１０を使って操作を行ったと仮定する。
【００５５】
まず、ステップＳ１１００では、操作処理部４２０から操作コマンドを取得する。
【００５６】
そして、ステップＳ１２００では、操作コマンド、特に、操作コマンドの入力源および制御対象の音声出力デバイスを識別する。
【００５７】
より具体的には、操作コマンドにリモコン３１０の識別子が示されている場合は、その識別子を参照することにより、操作コマンドの入力源を識別することができる。この例では、リモコン３１０自体がコマンド入力源として識別される。
【００５８】
あるいは、搭乗者の着座位置を検出するための装置がＡＶシステム１００とともに用いられる場合は、その検出結果を利用することにより、コマンド入力源を識別することができる。また、受光部３３０がリモコン３１０，３２０からの赤外線信号到来方向の検出が可能な場合は、その検出結果を利用することにより、コマンド入力源を識別することができる。
【００５９】
また、制御対象の音声出力デバイスの識別も、様々な方法により行うことができる。例えば、識別されたコマンド入力源に対してどの音声出力デバイスの操作権が付与されているのかを、メモリ４１０に保持されたテーブルの設定情報（図２参照）を参照することにより、制御対象デバイスを識別することができる。例えば、リモコン３１０に対してヘッドフォンＡの操作権が付与されている場合、制御対象の音声出力デバイスとしてヘッドフォン出力端子２４０が識別される。
【００６０】
あるいは、出力音声の切替制御を行うときに搭乗者の手動操作による制御対象デバイスの指定が可能な場合は、操作コマンドに示される入力値を参照することにより、制御対象の音声出力デバイスを識別することができる。例えば、搭乗者が、ヘッドフォンＡの指定を行うと、操作コマンド内の対応するフィールドには、例えば図５に示されるように入力値“２”が入力される。
【００６１】
そして、ステップＳ１３００では、操作コマンドに示された選択音声の入力値を参照する。選択音声の入力値は、例えば次のように予め定義される。搭乗者が、切替後の音声ソースとしてＴＶ１を選択したとすると、操作コマンド内の対応するフィールドには、例えば図６に示されるように入力値“２”が入力される。
【００６２】
そして、ステップＳ１４００では、設定テーブル内の選択音声の設定値を、選択音声の入力値に基づいて更新する。この例では、図３に示されたテーブルにおいて、ヘッドフォンＡ選択音声の設定値がＣＤ／ＤＶＤとなっているので、ヘッドフォンＡ選択音声の設定値をＣＤ／ＤＶＤからＴＶ１に書き換えることにより、設定値の更新を行う。
【００６３】
そして、ステップＳ１５００では、更新された選択音声の設定値に従って、音声の切替を指示する信号を、制御対象の音声出力デバイスから音声として出力されている音声信号を供給している音声ＳＷ、例えば音声ＳＷ５１２に出力する。
【００６４】
この指示信号の出力により、音声ＳＷ５１２は、音声合成部７１０に供給する音声信号のソースを、ＣＤ／ＤＶＤデッキからＴＶチューナ１に切り替える。音声合成部７１０は、音声ＳＷ５１２から供給される音声信号を継続的にヘッドフォン出力端子２４０に出力する。その結果、ヘッドフォンＡから出力される音声が、ＣＤの音楽からＴＶ番組の音声に切り替わる。
【００６５】
図７は、前述の出力音声の切替制御の別の例を説明するフロー図である。
【００６６】
まず、前述したステップＳ１１００〜Ｓ１３００を行う。そして、ステップＳ１３１０では、映像音声連動の設定がＯＮになっているか否かを判定する。映像音声連動がＯＮになっている場合は（Ｓ１３１０：ＹＥＳ）、ステップＳ１３２０に進む。ここで、映像音声連動は、同じＡＶサブシステムに属する分割画面の表示映像およびヘッドフォン出力端子の出力音声の切替を連動させることを意味する。換言すれば、同じソースセレクタに属する映像ＳＷおよび音声ＳＷの切替動作を連動させることを意味する。映像音声連動のＯＮ／ＯＦＦ設定は、メモリ４１０内のテーブルに記録することができ、手動操作または自動検出により更新することもできる。もちろん、ＯＮ／ＯＦＦは、そもそも設定されていなくてもよい。
【００６７】
ステップＳ１３２０では、設定テーブル内の選択音声および選択映像の各設定値を更新する。例えば、図３に示されたテーブルにおいて、ヘッドフォンＢ選択音声および分割画面Ｂの設定値がいずれも外部入力となっているときに受信した操作コマンドに示された選択音声の入力値が“２”すなわちＴＶ２である場合は、ヘッドフォンＢ選択音声の設定値を外部入力からＴＶ２に書き換えるだけでなく、分割画面Ｂ選択映像の設定値も外部入力からＴＶ２に書き換えることにより、設定値の更新を行う。
【００６８】
そして、ステップＳ１３３０では、更新された選択音声の設定値に従って、音声の切替を指示する信号を、制御対象の音声出力デバイスから音声として出力されている音声信号を供給している音声ＳＷ、例えば音声ＳＷ５２２に出力する。これと同時に、更新された選択映像の設定値に従って、映像の切替を指示する信号を、音声ＳＷ５２２と連動する映像ＳＷ５２１に出力する。
【００６９】
この指示信号の出力により、音声ＳＷ５２２は、音声合成部７１０に供給する音声信号のソースを、外部入力からＴＶチューナ１に切り替える。音声合成部７１０は、音声ＳＷ５２２から供給される音声信号を継続的にヘッドフォン出力端子２５０に出力する。その結果、ヘッドフォンＢ（ヘッドフォン出力端子２５０に接続されたヘッドフォン）から出力される音声が、外部入力の音声からＴＶ番組の音声に切り替えられる。これと同時に、つまりこれに連動して、映像ＳＷ５２１は、映像処理装置６００に供給する映像信号のソースを、外部入力からＴＶチューナ１に切り替える。映像処理装置６００は、映像ＳＷ５２１から供給される映像信号を継続的に分割画面Ｂに表示させる。その結果、分割画面Ｂに表示される映像が、外部入力の映像からＴＶ番組の映像に切り替えられる。指示処理部４３０は、このようにして音声および映像の連動制御を行う。
【００７０】
ところで、映像音声運動がＯＦＦになっている場合は（Ｓ１３１０：ＮＯ）、前述のステップＳ１４００に進む。例えば、図３に示されたテーブルにおいて、ヘッドフォンＡ選択音声および分割画面Ａの設定値がいずれもＴＶ２となっているときに受信した操作コマンドに示された選択音声の入力値が“１”すなわちＣＤ／ＤＶＤである場合は、分割画面Ａ選択映像の設定値をＴＶ２のままとして、ヘッドフォンＡ選択音声の設定値のみをＴＶ２からＣＤ／ＤＶＤに書き換えることにより、設定値の更新を行う。そして、前述のステップＳ１５００に進む。つまり、更新された選択音声の設定値に従って、音声の切替を指示する信号を、制御対象の音声出力デバイスから音声として出力されている音声信号を供給している音声ＳＷ、例えば音声ＳＷ５１２に出力する。この指示信号の出力により、音声ＳＷ５１２は、音声合成部７１０に供給する音声信号のソースを、ＴＶチューナ２からＣＤ／ＤＶＤに切り替える。音声合成部７１０は、音声ＳＷ５１２から供給される音声信号を継続的にヘッドフォン出力端子２４０に出力する。その結果、ヘッドフォンＡから出力される音声が、ＴＶ番組の音声からＣＤ／ＤＶＤの音声（または音楽）に切り替えられる。このとき、映像ソースの切替は、音声ソースの切替に連動しない。指示処理部４３０は、このようにして音声および映像の非連動制御を行う。リモコンに「連動」ボタンがあって、このボタンが押されると、映像と音声とが連動する構成が採用されてもよい。例えば、音声が現在選択されている映像に合わせて切り替えられる場合や映像が現在選択されている音声に合わせて切り替えられる場合などがある。
【００７１】
以上のように、本実施の形態によれば、異なる音声出力デバイスから異なるコンテンツソースの音声を同時に出力させることができる。例えば車室のような狭空間において、１つの音声出力デバイスから異なるコンテンツソースの音声が同時に出力されると、互いに異なるコンテンツを視聴している複数の搭乗者が不快になることがあるが、異なる音声出力デバイスから異なるコンテンツソースの音声を同時に出力させることにより、このような事態を回避することができ、個々の搭乗者にとっての利便性を向上することができる。
【００７２】
特に、本実施の形態では、指示処理部４３０が複数の音声出力デバイスの出力音声を制御し、例えばリモコン３１０，３２０、ＥＳＷ３４０および操作処理部４２０の組合せからなる操作部が操作コマンド入力源に対応する操作コマンドを生成し、この操作コマンドにより、指示処理部４３０に、操作コマンド入力源に対応する音声出力デバイスの出力音声を他の音声出力デバイスから独立に制御させる。つまり、異なる操作コマンド入力源に対応する操作コマンドに応じて複数の音声出力デバイスの出力音声を個別に制御するため、車室内の個々の搭乗者が、それぞれの音声出力デバイスから異なる音声を自由に選択して聴くことができる。しかも、各音声出力デバイスの操作権が、全てのコマンド入力源でなく一部のコマンド入力源のみに対して排他的に付与されるため、個々の搭乗者がそれぞれの音声出力デバイスで聴いている音声が他の搭乗者の操作によって制御できなくなるような環境を提供することができる。したがって、個々の搭乗者が快適に音声および映像を視聴し続けることができる。
【００７３】
また、本実施の形態によれば、映像音声連動がＯＮに設定されている場合に、選択音声の切替の指示を行うだけで、出力音声だけでなく表示映像も切り替えることができる。よって、視聴するコンテンツの切替のための操作を簡略化することができ、ＡＶシステムの操作性を向上することができる。一方、映像音声連動がＯＦＦに設定されている場合は、選択音声の切替の指示を行うと、表示映像とは独立に出力音声だけを切り替えることができる。例えば、ＴＶ番組の映像を見ながらＣＤの音楽を聴くことができる。あるいは、あるＴＶ番組を一方の分割画面およびこれに対応するヘッドフォンで視聴している場合に、前述の操作を行うことにより、そのＴＶ番組の映像を見ながらにして他方の分割画面に表示されているＴＶ番組の音声を聴くことができ、ＡＶシステムの娯楽性を向上することができる。
【００７４】
なお、本実施の形態において、音声合成部７１０は、音声ＳＷ５１２，５２２からそれぞれ入力される音声信号に対して個別に音質調整または音量調整を施す機能を備えるものであってもよい。また、この音質または音量の個別調整は、指示処理部４３０から入力される指示信号により制御することができる。この場合、指示処理部４３０は、異なるコマンド入力源に対応する音声ＳＷからの音声信号に対して音質または音量を調整させる指示信号を生成することができる。これにより、個々の搭乗者が、それぞれの音声出力デバイスの出力音声を異なる音質または異なる音量で自由に聴くことができる。この制御に関しても、個々の搭乗者が聴いている音声が他の搭乗者の操作によって制御できなくなるような環境を提供することができる。
【００７５】
また、ＡＶシステム１００は、出力音声および表示映像のソース、換言すれば、使用中のソースを、分割画面毎および音声出力デバイス毎に搭乗者に通知する手段をさらに備えてもよい。例えば、図８に示されるように、ワイドディスプレイ本体に、各ソースに対応するＬＥＤ（light emitting diode）を設け、使用中のソースに対応するＬＥＤを点灯させる。これにより、各音声出力デバイスの出力音声のソース、および各分割画面の表示映像のソースを、搭乗者に通知することができる。なお、このようなＬＥＤを設ける代わりに、各分割画面上に、出力音声および表示映像のソースを表すテキストまたはアイコンを表示させてもよい。
【００７６】
また、本実施の形態において、１つの音声出力デバイスの操作権が「操作人１」、「操作人２」および「前席」のうち複数または全てのものに付与される場合のために、どの操作権者が優先権を持つかを定義する優先権設定テーブルをメモリ４１０内の保持しておくことが好ましい。この場合、指示処理部４３０は、優先権設定テーブルを参照することにより複数の操作権者のうち優先権を持つ操作権者を識別し、優先権を持つ操作権者からの操作コマンドに示された選択音声への切替を指示する信号を、該当する音声ＳＷに出力する。これにより、複数ソースからの異なる音声が混合して搭乗者を不快にさせることを回避することができる。
【００７７】
以上、本発明の実施の形態について説明した。なお、以上の説明は本発明の好適な実施の形態の例証であり、本発明の範囲はこれに限定されない。例えば、本実施の形態では、ＡＶシステムを車載用電子機器として用いた場合について説明したが、本実施の形態のＡＶシステムを単体で用いて、狭空間に設置されユーザの操作を必要とする音響機器または映像機器に応用することもできる。また、図１に示した構成は一例であり、よって、本発明の範囲においてこの構成例の様々な変更および修正が可能であることは明らかである。
【００７８】
また、本発明の他の実施の形態として、上記実施の形態で説明したＡＶシステムの各構成要素の機能を実現させるためのプログラムを読み取り可能な記録媒体に格納し、ＣＰＵを用いてそのプログラムを実行させることにより、本発明を実施することもできる。
【産業上の利用可能性】
【００７９】
本発明のＡＶシステム、音声制御装置、音声映像制御装置および音声制御方法は、ＡＶシステムなどの車載機器として有用である。また、これらは車室以外での用途にも適しており、例えば、表示装置または音声出力デバイスを備え且つ狭空間内でのユーザの操作を必要とする映像機器または音響機器の用途に応用することができる。
【図面の簡単な説明】
【００８０】
【図１】本発明の一実施の形態に係るＡＶシステムの構成を示すブロック図
【図２】本発明の一実施の形態に係る操作権設定情報の一例を示す図
【図３】本発明の一実施の形態に係る選択音声および選択映像の設定情報の一例を示す図
【図４】本発明の一実施の形態に係る出力音声切替制御の動作の一例を説明するためのフロー図
【図５】本発明の一実施の形態に係る操作コマンドに示される制御対象デバイスの入力値の一例を示す図
【図６】本発明の一実施の形態に係る操作コマンドに示される選択音声の入力値の一例を示す図
【図７】本発明の一実施の形態に係る出力音声切替制御の動作の他の例を説明するためのフロー図
【図８】本発明の一実施の形態に係る出力音声および表示映像のソースの表示手段の一例を示す図
【符号の説明】
【００８１】
１００  ＡＶシステム
２００  ワイドディスプレイ
２１０，２２０  分割画面
２３０  画面
２４０，２５０  ヘッドフォン出力端子
３１０，３２０  リモコン
３４０  ＥＳＷ
４００  制御装置
４２０  操作処理部
４３０  指示処理部
５００  コンテンツ入力ソース
５１０，５２０  ソースセレクタ
６００  映像処理装置
６１０，６２０，６４０  映像処理部
６３０  映像合成部
７１０  音声合成部
７２０  スピーカ
【図１】
2007295045.tif 000003
【図２】
2007295045.tif 000004
【図３】
2007295045.tif 000005
【図４】
2007295045.tif 000006
【図５】
2007295045.tif 000007
【図６】
2007295045.tif 000008
【図７】
2007295045.tif 000009
【図８】
2007295045.tif 000010